(57)【要約】【課題】照射範囲を広げて配光することができる照明装置を提供する。【解決手段】光源である複数のＬＥＤを有する複数の灯部５０を備え、支柱に取り付けて照明を行う照明装置において、各灯部５０は、複数のＬＥＤを装着した基板と、基板を装着する平面を有するフレームと、フレームに設けられ、ＬＥＤからの光を外部に出射する透光板とを有する。複数の灯部５０は、ＬＥＤからの光が異なる方向に照射されるように保持されるとともに、各灯部５０同士を平行に対向させるとともに、複数の灯部５０の間に、ゴミ等が溜まらないように空洞を設けてなることを特徴とする照明装置である。【選択図】図２
2011165676.tif 000002
【特許請求の範囲】
【請求項１】
複数のＬＥＤ光源を有する複数の灯部を備え、支柱に取り付けて照明を行う照明装置において、
各灯部は、
前記複数のＬＥＤ光源を装着した基板と、
該基板を装着する平面を有するフレームと、
該フレームに設けられ、前記ＬＥＤ光源からの光を外部に出射する透光板と
を有し、
前記各灯部同士を平行に対向させるとともに、前記ＬＥＤ光源からの光が異なる方向に照射されるように、各灯部の前記平面がなす角度が所定の角度をなし、各灯部を間隔を隔てて略Ｖ字形に配置して固定する固定部と、
該固定部で固定した各灯部を前記支柱に対して直交する方向に突設させて取り付けるための支持腕と
を備えることを特徴とする照明装置。
【請求項２】
前記ＬＥＤ光源は複数列に配して前記基板に装着され、
前記ＬＥＤ光源の列と平行に抵抗の列を前記基板に実装してあり、
前記ＬＥＤ光源の列が前記抵抗の列よりも上側になるように前記基板を前記平面に装着してあることを特徴とする請求項１に記載の照明装置。
【請求項３】
前記基板は矩形状の基板であり、
前記ＬＥＤ光源と結線されるコネクタが、接続端子の側を外向きにして前記基板の長手方向の端部に設けてあることを特徴とする請求項１又は請求項２に記載の照明装置。
【発明の詳細な説明】
【技術分野】
【０００１】
本発明は、照射範囲を広げて配光する構造を有する照明装置に関し、特に屋外において設置される照明装置に関する。
【背景技術】
【０００２】
従来、道路、公園等の屋外に設置される照明装置の光源として、白熱電球、水銀灯及び蛍光灯が主として用いられている。近年、発光ダイオード（以下、ＬＥＤという）の高輝度化に伴い、低消費電力かつ長寿命であるＬＥＤを光源とする照明装置が種々提案されている（例えば、特許文献１参照）。
【０００３】
特許文献１に開示された照明装置は、複数の砲弾型ＬＥＤを一面に配設したフレキシブル基板を、ＬＥＤが配設された面の側が凸状になるように湾曲させた状態にて、支持枠により支持するように構成してある。支持枠は、略コの字形状を有する一方枠と他方枠とを備え、一方枠及び他方枠を開口端の側にて一部を重ね合せて矩形枠状とし、開口端の側を支軸として互いに回動させ、所望の開き角度に調整したのちにネジ止め等により固定してある。
【０００４】
このように構成された照明装置は、ＬＥＤが配設されたフレキシブル基板を湾曲させることにより、広い範囲に亘って照射することができると共に、照明装置が設置される場所に応じて前記開き角度を適切に調節することにより、照射範囲を容易に設定することが可能となる。
【先行技術文献】
【特許文献】
【０００５】
【特許文献１】特開２００５−１６６４２６号公報
【発明の概要】
【発明が解決しようとする課題】
【０００６】
ところで、屋外にて用いられる照明装置として、防犯の観点から、歩行者が夜道にて進路前方の状況を判断できるように、十分な明るさが確保されることが望ましい。例えば、（社）日本防犯設備協会の「歩行者のための屋外公共照度基準」により、不審な人物を判断してから行動するために必要な距離とされる４ｍ離れた場所にいる人物の顔の概要が識別できる明るさ（推奨照度クラスＡ）が推奨されている。
【０００７】
しかし、上記先行技術に示した照明装置においては、光源を配したフレキシブル基板が湾曲して設けられていることにより照射範囲は広がるが、光源を備える照明部上にはゴミ等が溜まってしまうという問題があった。特に照明装置が屋外に設置されるような場合には、この問題が顕著となり、照明部の上部に雨水や落ち葉が溜まり、照明装置の信頼性に悪影響を与える原因となる。
【０００８】
本発明は、斯かる事情を鑑みてなされたものであり、照射範囲を広げて配光することができる照明装置を提供することを目的とする。
【課題を解決するための手段】
【０００９】
本発明に係る照明装置は、複数のＬＥＤ光源を有する複数の灯部を備え、支柱に取り付けて照明を行う照明装置において、各灯部は、前記複数のＬＥＤ光源を装着した基板と、該基板を装着する平面を有するフレームと、該フレームに設けられ、前記ＬＥＤ光源からの光を外部に出射する透光板とを有し、前記各灯部同士を平行に対向させるとともに、前記ＬＥＤ光源からの光が異なる方向に照射されるように、各灯部の前記平面がなす角度が所定の角度をなし、各灯部を間隔を隔てて略Ｖ字形に配置して固定する固定部と、該固定部で固定した各灯部を前記支柱に対して直交する方向に突設させて取り付けるための支持腕とを備えることを特徴とする。
【００１０】
本発明にあっては、複数の灯部を設置場所に応じて適切に所定の角度をなして配置することにより、照射範囲を広げて配光することができ、例えば、防犯灯として最適な配光を得ることが可能となる。また、複数の灯部に光源を分散して配置することにより、光源から発生した熱が基板を介して支持体に分散して伝達されるから、温度上昇が抑制されると共に、光源から発生した熱が放熱される面積が大きくなるから、放熱性を向上することができる。さらに、同一形状の支持体を用いることにより、部品を共通化することができ、生産性を向上することができる。また、複数の灯部を間隔を隔てて略Ｖ字形に配置しており、灯部間の隙間が通風路として機能するから、光源にて発生した熱を通風路にて流速が増した空気に伝達することにより、効率良く放熱することができる。また、灯部間の間隔を適切に定めることにより、落ち葉等のゴミが灯部の傾斜に沿って落下し易くなり、メンテナンスが軽減される。また、透光板を灯部に設けているから、光源からの光は透光板を少ない透過損失にて透過することができ、少ない光源数にて必要な照度を実現することが可能となる。
【００１１】
本発明に係る照明装置は、前記ＬＥＤ光源は複数列に配して前記基板に装着され、前記ＬＥＤ光源の列と平行に抵抗の列を前記基板に実装してあり、前記ＬＥＤ光源の列が前記抵抗の列よりも上側になるように前記基板を前記平面に装着してあることを特徴とする。
【００１２】
本発明にあっては、ＬＥＤ光源の列が抵抗の列よりも上側になるように基板を平面に装着することにより、ＬＥＤ光源が基板の一面に均等に配置される場合よりも上方光束比を低減することが可能となる。
【００１３】
本発明に係る照明装置は、前記基板は矩形状の基板であり、前記ＬＥＤ光源と結線されるコネクタが、接続端子の側を外向きにして前記基板の長手方向の端部に設けてあることを特徴とする。
【００１４】
本発明にあっては、コネクタを接続端子の側を外向きに配設することにより、シリコン樹脂を刷毛にて基板の一面に塗布する際にコネクタの内部にシリコン樹脂が入り難くなり、基板の生産性及び信頼性が向上する。
【発明の効果】
【００１５】
本発明によれば、照射範囲を広げて配光することができる。
【図面の簡単な説明】
【００１６】
【図１】本発明の実施の形態１に係る照明装置の模式的斜視図である。
【図２】照明装置を略示する概念図である。
【図３】図２のＩＩＩ−ＩＩＩ矢視から見た照明部の外形図である。
【図４】図２のＩＶ−ＩＶ線による照明部の部分拡大断面図である。
【図５】基板の概略図である。
【図６】図２のＶＩ−ＶＩ線による太陽電池近傍の断面図である。
【図７】図２のＶＩＩ−ＶＩＩ線による支柱の断面図である。
【図８】実施の形態２に係る照明装置の太陽電池近傍の断面図である。
【図９】太陽電池及び蓄電池を備える照明装置の制御系の構成を示すブロック図である。
【図１０】制御部の照明装置の点灯制御の処理手順を示すフローチャートである。
【図１１】照明部の点灯及び照度の制御過程を示すタイミングチャートである。
【発明を実施するための形態】
【００１７】
以下、本発明をその実施の形態を示す図面に基づいて、太陽電池を備え、屋外にて用いられる照明装置を例にして詳述する。
（実施の形態１）
図１は、本発明の実施の形態１に係る照明装置の模式的斜視図であり、図２は、照明装置を略示する概念図であり、図２（ａ）は正面図を、図２（ｂ）は側面図を夫々示している。
【００１８】
図において１は、略四角柱状の外形を有する支柱であり、支柱１は、一端の側を土中に埋設させて立設してある。支柱１の下半部には、中空の四角柱状をなすボックス部１１が設けてあり、該ボックス部１１の上方には、ボックス部１１の両側に配された２つの側柱１２、１２により細長い直方体状の空洞１０が形成してある。
【００１９】
支柱１の上方に延びる他端の側には、照明部２が支柱１に直交する方向に突設させて取付けてある。図３は、図２のＩＩＩ−ＩＩＩ矢視から見た照明部２の外形図である。図４は、図２のＩＶ−ＩＶ線による照明部２の部分拡大断面図である。
【００２０】
照明部２は、図４に示すように、断面形状が中空の略半楕円形をなし、押出加工により成形されたアルミニウム製の２つのフレーム２１、２１を備えている。フレーム２１、２１は、湾曲面２１ａ、２１ａの側を対向させて、平面２１ｂ、２１ｂが所定の角度、例えば７５°の角度をなして略Ｖ字形に適長離隔して空洞を有して配置されるように、第１固定板２２及び第２固定板２３により固定してある。フレーム２１は、光源である複数のＬＥＤが実装された基板を内部に設けられて灯部５０となり、照明部２は複数の灯部５０から構成される。本明細書の説明において、灯部とは光源を備えて発光する部分を意味する。
【００２１】
第１固定板２２は、フレーム２１、２１の断面形状と略同一形状の２つの半楕円形部２２ａ、２２ａと、所定の角度をなす該半楕円形部２２ａ、２２ａ間を近接する側にて連結する連結部２２ｂとを有する平板であり、第２固定板２３は、フレーム２１、２１の断面形状と略同一形状の２つの半楕円形部（図示せず）と、所定の角度をなす該半楕円形部間を離れている側にて連結する連結部２３ｂとを有する平板である。半楕円形部間の角度及び連結部２２ｂ、２３ｂの長さを適切に設定することにより、２つのフレーム２１、２１を所定の角度をなして適長離隔して配することができる。また、これら２つのフレーム２１、２１、第１固定板２２及び第２固定板２３により通風路２０が形成されている。
【００２２】
フレーム２１、２１の矩形状を有する平面２１ｂ、２１ｂには、図２及び図４に示す如く、複数（図においては、４つ）の基板２４、２４…が夫々装着してある。図５は、基板２４の概略図である。
【００２３】
図５に示すように、細長い矩形をなす基板２４の一面には、複数のＬＥＤ２５、２５…が３列に亘って配設してあり、さらにＬＥＤ２５、２５…の配列に平行をなして抵抗２６、２６…が一列に配設してある。図中に矩形にて示しているＬＥＤ２５、２５…は、ＬＥＤ素子と、外気から遮断すべく該ＬＥＤ素子を封止し、ＬＥＤ２５に励起される蛍光体を含有する封止樹脂と、入力及び出力電極とを備えてなるチップ型ＬＥＤである。
【００２４】
基板２４の長手方向の両端の側には、ＬＥＤ２５、２５…及び抵抗２６と結線されるコネクタ２７、２７が接続端子の側を外向きにして夫々設けてある。またコネクタ２７、２７には、リード線（図示せず）により電源回路部品に接続してある。なお、基板２４の一面は、ＬＥＤ２５、２５…への湿気の影響を低減するためにシリコン樹脂にてコーティングしてあり、コネクタ２７、２７を接続端子の側を外向き（ＬＥＤ２５、２５…が実装されている側の反対側）に配設することにより、シリコン樹脂を刷毛にて塗布する際にコネクタ２７、２７の内部にシリコン樹脂が入り難くなり、基板２４の生産性及び信頼性が向上する。
【００２５】
このように一面にＬＥＤ２５、２５…、抵抗２６、２６…及びコネクタ２７、２７が実装された基板２４、２４…は、図４に示す如く、３列のＬＥＤ２５、２５…の側が上側（Ａ側）に、抵抗の列の側が下側（Ｂ側）となるように、フレーム２１、２１の平面２１ｂ、２１ｂに、非実装側の面の略全面にて当接させて、例えばネジ等により固定されている。フレーム２１、２１に取付けられたＬＥＤ２５、２５…からの光が出射する２つの出射面は、フレーム２１、２１の所定の角度、例えば７５°の角度と同一の角度をなすことになる。
【００２６】
フレーム２１、２１に取付けられたＬＥＤ２５、２５…からの光が出射する２つの出射面間の角度、即ちフレーム２１、２１の平面２１ｂ、２１ｂ間の所定の角度は、例えば、（社）日本防犯設備協会の「歩行者のための屋外公共照度基準」の推奨照度クラスＡの条件、道路の路面上の平均照度が１ルクス（ｌｘ）、道路の中心線上（軸上）の路面上１．５ｍ高さの道路の軸に直交する鉛直面上の最小照度が５ルクス（ｌｘ）を満足するように決定されている。前記所定の角度は、これら２つの条件を満足しつつ、照明装置の設置間隔を可能な限り大きくすると共に、上方への光束の漏れの割合である上方光束比が１５％以内になるように、適切に設定してある。前述した７５°は、道路幅５ｍ、照明装置の照明部の設置高さが約３．０ｍである設置条件下において、前述の条件を満足しつつ照明装置の設置間隔を大きくすることが可能となる適切な角度である。なお、適切な角度は、道路幅、照明部の設置高さ等の設置条件に応じて、また光源として用いるＬＥＤの数及び発光効率等に応じて変化する。
【００２７】
また、基板２４、２４…を、ＬＥＤ２５、２５…の側が上側（Ａ側）となるようにフレーム２１、２１の平面２１ｂ、２１ｂに取付けているから、ＬＥＤ２５、２５…が基板の一面に均等に配置される場合よりも上方光束比を低減することが可能となる。
【００２８】
なお、フレーム２１、２１の平面２１ｂ、２１ｂ夫々に、４つの基板２４、２４…を２行２列に配しているが、これに限定されず、６つの基板２４、２４…を３行２列に配してもよい。どちらの配列にも対応可能なように、フレーム２１、２１を共通化する方がより望ましい。
【００２９】
また、フレーム２１、２１には、平面２１ｂ、２１ｂに平行をなして、矩形をなす透光板であるアクリル板２８、２８が夫々ネジ止め等により取付けてある。
【００３０】
このように構成された照明部２は、図２に示すように、第２固定板２３の側にて、支持腕２９を介して支柱１に取付けてある。
【００３１】
さらに、支柱１の上方に延びる他端には、太陽電池３が支持枠４０及び支持筒４５を介して取付けてある。図６は、図２のＶＩ−ＶＩ線による太陽電池３近傍の断面図である。太陽電池３は、矩形状のパネル形状を有しており、例えば、単結晶又は多結晶の太陽電池のセルを太陽光透過率の高い強化ガラス裏面に実装支持してなるそれ自体公知の構成を有している。
【００３２】
太陽電池３を支持する金属製の支持枠４０は、３分割構造（基部４１及び二つの端縁部４２）となっており、中央を支持する基部４１は、太陽電池３の短手方向の長さの略１／３の幅を有し、上下方向が薄い細長い有底角筒状をなしている。基部４１は、細長い矩形状をなす平板４１ａと、一面開放の筐体４１ｂとを備え、該筐体４１ｂの開放端の側に平板４１ａを配して、有底角筒状の筐体を形成している。基部４１は、平板４１ａの側を下側にして、支持筒４５に取付けてある。
【００３３】
基部４１の短手方向の両側には、太陽電池３の短手方向の長さの略１／３の幅を有し、太陽電池３に直交する方向の断面形状が略直角三角形状をなし、上下方向が薄い細長い三角筒状の端縁部４２、４２が、長辺側の一面４２ａ、４２ａを上側にして夫々配してある。基部４１及び端縁部４２、４２は、基部４１の筐体４１ｂの長手方向と平行をなす側壁４１ｃ、４１ｃと端縁部４２、４２の側壁４２ｂ、４２ｂとを当接させて、ボルト４６、４６…により固定してある。基部４１及び端縁部４２、４２は、長手方向の長さが同一になるように成形してある。また、基部４１及び端縁部４２、４２は、基部４１及び端縁部４２、４２の当接部における上下方向の高さが同一になるように、さらに端縁部４２、４２の斜面４２ｃ、４２ｃ及び基部４１の平板４１ａが、連結状態にてなめらかな湾曲面を形成するように成形してある。
【００３４】
端縁部４２、４２の長辺側の一面４２ａ、４２ａには、太陽電池３を短手方向の２辺にて挟持する略角筒状をなす２つの挟持部４３、４３がボルト４７、４７…により固定してある。また、基部４１及び端縁部４２、４２の長手方向の両端には、基部４１及び端縁部４２、４２を閉止する閉止板４４、４４が取付けてある。
【００３５】
このように一体化された支持枠４０及び太陽電池３は、太陽電池３の受光面が南向きになるように支持筒４５の支柱１への取付角度を変えて支柱１に取付けてある。なお、支持枠４０及び太陽電池３により形成される空間内には、コネクタボックス３ａが収納してあり、太陽電池３は、コネクタボックス３ａを介して、制御部に接続してある。
【００３６】
図７は、図２のＶＩＩ−ＶＩＩ線による支柱１の断面図である。図中、略矩形状を有する平面１１ａは、ボックス部１１の上面であり、中空の四角柱状をなすボックス部１１の両側には、該ボックス部１１の両側面１１ｂ、１１ｂに、略矩形をなす固定面１２ａ、１２ａを当接させて、側柱１２、１２がボルト１１ｃ、１１ｃ…により固定してある。
【００３７】
側柱１２は、図示の如く、固定面１２ａに直交する方向に側柱１２の略全長に亘って外向きに突出する突出部１２ｂ、１２ｂと、該突出部１２ｂ、１２ｂ間を連結し、略四角筒状をなす連結部１２ｃとを備えている。連結部１２ｃの固定面１２ａの逆側の面１２ｄと突出部１２ｂ、１２ｂとの接合部には、深さ方向が前記面１２ｄと平行をなす溝１２ｅ、１２ｅが側柱１２の略全長に亘って形成してある。この溝１２ｅ、１２ｅには、住所が表記されたカラーパネル、照明装置を設置する場所の景観に適合した模様が印刷されたカラーパネル等のカラーパネルが長辺側の２辺にて差し込まれ保持されている。
【００３８】
また、側柱１２、１２の固定面１２ａ、１２ａの側には、Ｌ字状をなす切込部１２ｆ、１２ｆ…がボックス部１１の平面１１ａの４隅に対応する位置に上下方向の適長に亘って夫々形成してある。この切込部１２ｆ、１２ｆ…には、地図が表記されたマップパネル、広告用の旗が取付けられたバナー等が取付治具を介して適宜取付けられる。
【００３９】
支柱１のボックス部１１の内部には、太陽電池３の発電電力を充電し、充電された電力を照明部２に供給する蓄電池５が収容してある。また、ボックス部１１の内部には、照明部２の点灯制御を行う制御部６が収容してあり、制御部６には、太陽電池３及び蓄電池５が夫々接続してある。
【００４０】
本実施の形態に係る照明装置においては、制御部６による点灯制御に応じて点灯するＬＥＤ２５、２５…が装着された基板２４、２４…を、板状をなす複数のフレーム２１、２１に取付け、該フレーム２１、２１を所定の角度をなして配置しており、設置場所に応じて適切に前記角度を設定することにより、防犯灯として最適な配光を得ることが可能となる。また、基板２４、２４…と平行をなすようにアクリル板２８、２８をフレーム２１、２１に設けているから、ＬＥＤ２５、２５…からの光はアクリル板２８、２８を少ない透過損失にて透過することができ、少ないＬＥＤ２５、２５…にて必要な照度を実現することが可能となる。
【００４１】
また、複数のフレーム２１、２１にＬＥＤ２５、２５…を分散して配置しており、ＬＥＤ２５、２５…から発生した熱が基板２４、２４…を介してフレーム２１、２１に分散して伝達されるから、温度上昇が抑制されると共に、ＬＥＤ２５、２５…から発生した熱が放熱される面積が大きくなるから、放熱性を向上することができる。複数のフレーム２１、２１を間隔（空洞）を隔てて略Ｖ字形に配置しており、フレーム２１、２１間の隙間が通風路２０として機能するから、ＬＥＤ２５、２５…にて発生した熱を通風路２０にて流速が増した空気に伝達することにより、効率良く放熱することができる。
【００４２】
また、フレーム２１、２１（二つの灯部５０）間の間隔を適切に定めて空洞を設けることにより、落ち葉等のゴミや雨水がフレーム２１、２１の傾斜に沿って落下し易くなり、メンテナンスが軽減される。さらに、フレーム２１は、湾曲面２１ａを有しているために、湾曲面２１の曲面を利用して、落ち葉等ゴミや雨水が落ち易い構造となっており好適である。
【００４３】
さらに、同一形状のフレーム２１、２１を用いることにより、部品を共通化することができ、生産性を向上することができる。
【００４４】
（実施の形態２）
実施の形態１に係る照明装置においては、パネル状の太陽電池３を一つ備えるように構成しているが、太陽電池３を複数備えるように構成することも可能である。図８は、実施の形態２に係る照明装置の太陽電池近傍の断面図であり、太陽電池を２つ備える照明装置の例である。
【００４５】
図に示すように、太陽電池３、３を支持する支持枠４０ａは、５分割構造（基部４１、二つの端縁部４２及び二つの連結部４８）となっており、基部４１と端縁部４２、４２との間には、上下方向が薄い細長い略角筒状の連結部４８、４８が介装してある。連結部４８、４８の第１側壁４８ａ、４８ａは、基部４１の側壁４１ｃ、４１ｃにボルト４６、４６…により連結可能なように構成してあり、連結部４８、４８の第２側壁４８ｂ、４８ｂは、端縁部４２の側壁４２ｂ、４２ｂにボルト４６、４６…により連結可能なように構成してある。連結部４８、４８の太陽電池３、３の短手方向の長さは、基部４１及び２つの端縁部４２、４２の太陽電池３、３の短手方向の長さを加算した長さの半分になるように設定してある。また、連結部４８、４８の長手方向の長さは、基部４１及び端縁部４２、４２の長手方向の長さと同一になるようにしてある。さらに、連結部４８、４８の上下方向の高さは、基部４１及び端縁部４２、４２の固定側の上下方向の高さと同一になるようにしてある。その他の構成は、図６に示す実施の形態１と同様であるため、対応する構成部材に図６と同一の参照符号を付して、その構成の詳細な説明を省略する。
【００４６】
本実施の形態においては、支持枠４０ａに取付けられる太陽電池３、３の数及び／又は寸法から支持枠４０ａの太陽電池３、３の短手方向の必要長さを求め、求めた必要長さを満足するように予め用意された連結部４８、４８の数を選択し、選択した数の連結部４８、４８を基部４１及び縁端部４２、４２間に介装して支持枠４０ａを組立てている。基部４１及び縁端部４２、４２間に介装する連結部４８、４８の形状を適切に設定することにより、太陽電池３、３の数及び／又は寸法に応じて基部４１及び縁端部４２、４２間に適切な数の連結部４８、４８を介装する又は基部４１及び縁端部４２、４２を直接連結することにより、共通部品化した基部４１、縁端部４２、４２及び連結部４８、４８により複数種類の支持枠を構成することが可能となり、生産性を向上することができる。
【００４７】
図９は、太陽電池３及び蓄電池５を備える照明装置の制御系の構成を示すブロック図である。制御部６には、太陽電池３の出力電圧（以下、ＰＶ電圧ＶPVという）の検出値が与えられる。制御部６は、与えられたＰＶ電圧ＶPVに応じて、日の入又は日の出のいずれであるかを判定する。
【００４８】
また、制御部６には、蓄電池５の電圧（以下、バッテリ電圧ＶBAT という）の検出値が与えられる。制御部６は、バッテリ電圧ＶBAT に応じてバッテリ残容量を判断して照明部２の照明モードを決定し、この照明モードに応じた光の強度に調節すべく決定されたパルス信号を生成する。また、制御部６は、太陽電池３の出力電圧の検出値から日の入と判断した後に一定時間の間隔を空けた上で、バッテリ残容量から照明モードを決定してもよい。
【００４９】
また制御部６には、駆動回路部６１が接続されており、制御部６は、駆動回路部６１に生成したパルス信号を与える。駆動回路部６１は、スイッチング素子を備えており、制御部６から与えられたパルス信号に応じてスイッチング素子を開閉する動作をなす。この結果、照明部２には、スイッチング素子の開閉動作に応じたパルス状の電流が供給され、ＬＥＤ２５、２５…は、電流の供給に応じて点灯する。ＬＥＤ２５、２５…の明るさは、この供給された電流の平均値により定まる。
【００５０】
図１０は、制御部６の照明装置の点灯制御の処理手順を示すフローチャートである。制御部６は、ＰＶ電圧ＶPVを所定のサンプリング周期にて取り込む（ステップＳ１）。
【００５１】
ステップＳ１において取り込まれたＰＶ電圧ＶPVを用いて、ＰＶ電圧ＶPVが日入検出電圧ＶS1以下であるか否か、即ち日の入であるか否かを判定する（ステップＳ２）。なお、日入検出電圧ＶS1は、太陽電池３が発電状態にない時のＰＶ電圧の値から定められる。
【００５２】
ステップＳ２において、日の入であると判定された場合（ステップＳ２：ＹＥＳ）、制御部６は、バッテリ電圧ＶBAT を所定のサンプリング周期にて取り込む（ステップＳ３）。
【００５３】
一方、ステップＳ２において、日の入でないと判定された場合（ステップＳ２：ＮＯ）、制御部６は、ステップＳ１に戻って一連の動作を繰り返す。
【００５４】
次に、制御部６は、ステップＳ３において取り込まれたバッテリ電圧ＶBAT を用いて、バッテリ残容量を決定する（ステップＳ４）。制御部６は、バッテリ電圧ＶBAT とバッテリ残容量との関係を示すルックアップテーブルを有しており、与えられたバッテリ電圧ＶBAT をこのルックアップテーブルに適用してバッテリ残容量を決定している。
【００５５】
ステップＳ４において決定されたバッテリ残容量に応じて、照明モードを決定する（ステップＳ５）。例えば、バッテリ残容量が５０％以上であるか否かに応じて照明モードを通常モード又は節電モードに切り替える。図１１は、照明部２の点灯及び照度の制御過程を示すタイミングチャートである。図１１（ａ）は、通常モードのタイミングチャートを、図１１（ｂ）は、節電モードのタイミングチャートを夫々示している。
【００５６】
図１１は、横軸に時間を、縦軸に照明部２の照度を夫々示している。制御部６は、日の入と同時に照明部２をＳ１又はＳ３の照度にて点灯し、Ｔ１（例えば、７時間）経過後は、Ｓ２又はＳ４の低い照度にて点灯して、日の出と同時に消灯するように構成してある。例えば、Ｓ３はＳ１の半分に設定してある。なお、この照度は、制御部６から駆動回路部６１に与えるパルス信号のデューティ比を変えることにより制御している。
【００５７】
ステップＳ５において決定された照明モードに応じて、例えば、図１１（ａ）に示す通常モードにて照明部２を点灯する（ステップＳ６）。
【００５８】
ステップＳ６において照明部２を点灯させた後、ＰＶ電圧ＶPVを所定のサンプリング周期にて取り込む（ステップＳ７）。
【００５９】
ステップＳ７において取り込まれたＰＶ電圧ＶPVを用いて、ＰＶ電圧ＶPVが日出検出電圧ＶS2以上であるか否か、即ち日の出であるか否かを判定する（ステップＳ８）。なお、日出検出電圧ＶS2は、太陽電池３が発電状態にある時のＰＶ電圧の値から定められる。
【００６０】
ステップＳ８において、日の出であると判定された場合（ステップＳ８：ＹＥＳ）、制御部６は、照明部２を消灯して（ステップＳ９）、照明装置の点灯制御の動作を終了する。
【００６１】
一方、ステップＳ８において、日の出でないと判定された場合（ステップＳ８：ＮＯ）、制御部６は、ステップＳ７に戻って一連の動作を繰り返す。
【００６２】
以上のように、照明装置は、バッテリ電圧ＶBAT に基づいて決定されたバッテリ残容量に応じて、照明モードを変更しており、バッテリ残容量が少なくなった場合においても、比較的長期間の点灯が可能となる。
【００６３】
なお、以上の照明装置の点灯制御の説明において、照明モードが２つ設定されている場合について説明したが、これに限定されず、バッテリ残容量に応じてきめ細かく複数の照明モードを設定してもよいし、季節及び／又は地震発生時等の状況に応じて複数の照明モードを設定してもよい。
【００６４】
なお、以上の実施の形態に係る照明装置は、光源としてＬＥＤを用いた照明装置を例に説明したが、ＬＥＤに限定されるものではない。
【００６５】
更に、本発明は、その他、特許請求の範囲に記載した事項の範囲内において種々変更した形態にて実施することが可能であることは言うまでもない。
【符号の説明】
【００６６】
１  支柱
２  照明部
２１  フレーム（支持体）
２４  基板
２５  ＬＥＤ（光源）
２８  アクリル板（透光板）
５０  灯部
３  太陽電池
５  蓄電池
６  制御部
【図１】
2011165676.tif 000003
【図２】
2011165676.tif 000004
【図３】
2011165676.tif 000005
【図４】
2011165676.tif 000006
【図５】
2011165676.tif 000007
【図６】
2011165676.tif 000008
【図７】
2011165676.tif 000009
【図８】
2011165676.tif 000010
【図９】
2011165676.tif 000011
【図１０】
2011165676.tif 000012
【図１１】
2011165676.tif 000013